(57)【要約】      （修正有）【課題】調理場の空きスペースを使用とせず、蓋を容易に保持することで、台所のスペースを有効利用できる容器の蓋保持具を提供する。【解決手段】容器の蓋保持具１は、容器の側面に配設される保持部本体１０と、該保持部本体１０の上部に具備された、容器の開口部周縁に吊掛される吊掛部２０と、保持部本体１０に具備された、取り外した容器の蓋を載置する蓋保持部３０と、を備える。また保持部本体１０に、蓋保持具１を保持する摘部４０を装着し、さらに、蓋保持部３０の先端に、球状からなる蓋係止具、一端に球体を具備した筒状体、または一端に皿状体を具備した筒状体を装着してもよい。【選択図】図１
0003162212.tif 000002
【実用新案登録請求の範囲】
【請求項１】
容器の側面に配設される保持部本体と、該保持部本体の上部に具備された、容器の開口部周縁に吊掛される吊掛部と、前記保持部本体に具備された、取り外した容器の蓋を載置する蓋保持部と、を備えることを特徴とする容器の蓋保持具。
【請求項２】
前記保持部本体に、蓋保持具を保持する摘部を装着した請求項１記載の容器の蓋保持具。
【請求項３】
前記蓋保持部の先端に蓋係止具を設けた請求項１または２に記載の容器の蓋保持具。
【請求項４】
前記蓋係止具は球体である請求項３記載の容器の蓋保持具。
【請求項５】
前記蓋係止具は、一端に球体を具備した筒状体である請求項３記載の容器の蓋保持具。
【請求項６】
前記蓋係止具は、一端に皿状体を具備した筒状体である請求項３記載の容器の蓋保持具。
【考案の詳細な説明】
【技術分野】
【０００１】  本考案は、容器から取り外した蓋を保持する蓋保持具であり、特に、台所のスペースを有効利用することができる容器の蓋保持具に関する。
【背景技術】
【０００２】  煮物や茹で物、また揚げ物に使用される鍋等の容器には、容器本体の上部に蓋が開閉自在に備えられている。一般的な容器で食材を調理すると、容器内の水分が沸騰して外部に噴き出ることがある。そのため、水分が沸騰すると容器から蓋を取り外し、その蓋を鍋の付近に置いていた。しかしながら、調理場のスペースは比較的狭いため、蓋の置き場所に苦労するという問題があった。
【先行技術文献】
【特許文献】
【０００３】  そのため従来技術として、ガスレンジの空いている場所に置いて使用することで、手早く、その鍋の蓋を置くことができ、台所仕事の効率を上げることができる鍋の蓋置きがある（例えば特許文献１参照）。
上掲特許文献１の鍋の蓋置きは、鍋の蓋置きに磁石を付け、付けた磁石を土台にして容易にガスレンジ等の空いた所に置いて使用できるようにしたことが開示されている。
【特許文献１】特開２００４−３２１７４５号公報
【考案の概要】
【考案が解決しようとする課題】
【０００４】  しかしながら、特許文献１の鍋の蓋置きにおいては、磁石を利用して本体部をガスレンジの空いている所に磁着させるものであるため、設置する箇所が限定されるとともに、磁着させるスペースも必要になるという欠点があった。【０００５】  そこで本考案は上記の点に鑑み、調理場の空きスペースを使用とせず、蓋を容易に保持することで、台所のスペースを有効利用できる容器の蓋保持具を提供することになる。
【解決を解決するための手段】
【０００６】  上記課題を解決するために本考案の容器の蓋保持具は、容器の側面に配設される保持部本体と、該保持部本体の上部に具備された、容器の開口部周縁に吊掛される吊掛部と、前記保持部本体に具備された、取り外した容器の蓋を載置する蓋保持部と、を備えることを特徴とする。
【０００７】  また前記保持部本体に、蓋保持具を保持する摘部を装着した。
【０００８】  また、前記蓋保持部の先端に蓋係止具を設けた。
【０００９】  また、前記蓋係止具は球体である。
【００１０】  また前記蓋係止具は、一端に球体を具備した筒状体である。
【００１１】  さらに前記蓋係止具は、一端に皿状体を具備した筒状体である。
【考案の効果】
【００１２】  上記構造の蓋保持具を容器の開口部周縁に吊架することで、容器から取り外した蓋を蓋保持部に載置することができる。そのため、調理場の空きスペースを使用とせず、台所のスペースを有効利用することができる。また、蓋を台所に直接載置しないため、蓋の内側に付着した水滴が台所表面に滴下することがない。
【００１３】  また、保持部本体に摘部を装着したことで、蓋保持具の装着や取外しを容易に行うことができる。
【００１４】  さらに、蓋保持部の先端に、球状、一端に球体を具備した筒状体、または一端に皿状体を具備した筒状体を装着することで、さまざまな容器の蓋でも載置、保持することができる。
【図面の簡単な説明】
【００１５】
【図１】本考案における容器の蓋保持具の全体斜視図である。
【図２】容器の蓋保持具の使用状態を示す側面図である。
【図３】（ａ）（ｂ）（ｃ）は蓋係止具の形状を示す。
【図４】他の好適例である容器の蓋保持具の使用状態を示す。
【図５】他の好適例である容器の蓋保持具の使用状態を示す。
【考案を実施するための形態】
【００１６】  以下、本考案の容器の蓋保持具における実施の形態を図面に基づいて説明する。
本考案の容器の蓋保持具は、調理場の空きスペースを使用とせず、蓋を容易に保持することで、台所のスペースを有効利用することを特徴とする。
【００１７】  図１および図２に示す蓋保持具１は、容器Ａの側面に配設される保持部本体１０と、該保持部本体１０の上部に具備された、容器Ａの開口部周縁ａに吊掛される吊掛部２０と、前記保持部本体１０に具備された、取り外した容器の蓋Ｂを載置する蓋保持部３０と、を備える。
【００１８】  保持部本体１０は、容器Ａの湾曲状態に沿う形状に形成された上部体１１と、上部体１１の下方に配置された下部体１２と、前記上部体１１と下部体１２とを連結する複数の連結体１３ａ，１３ｂ，１３ｃとからなる。また前記保持部本体１０の素材は特に限定されるものではないが、適宜強度と耐熱性を考慮した場合、鉄やステンレス、またアルミ等の金属で形成することが好ましい。
【００１９】  吊掛部２０は、容器Ａの開口部周縁ａに吊掛されるものであり、保持部本体１０の上部に具備されている。前記吊掛部２０は、短冊状の吊掛本体２１と、本体部２１の上部に一連に連設された逆Ｕ字状の吊掛具２２とからなる。また前記前記吊掛部２０は、保持部本体１０の両端部に一対装着されている。
【００２０】  蓋保持部３０は、取り外した容器の蓋Ｂを載置するものであり、保持部本体１０の両端部に外方向に向けて一対装着されている。前記蓋保持部３０は、保持部本体１０に固定される第一立設部３１と、第一立設部３１の上部より略水平状に屈曲された状態に連結された蓋載置部３２と、蓋載置部３２よりやや傾斜状に立設された第二立設部３３と、第二立設部３３より容器Ａ側に屈曲された前記蓋係止部３４とで構成されている。
【００２１】  また他の好適例として、前記保持部本体１０に、蓋保持具１を保持する摘部４０を装着した。該摘部４０は、容器Ａへの蓋保持具１の装着や取外しを容易に行うことを特徴とするものであり、熱伝導性の少ないゴムやプラスチック素材からなる。また前記摘部４０はテーパ状の筒状体を呈していおり、保持部本体１０の転結体１３ｂに装着されておいる。
【００２２】  図２においては、本考案の蓋保持具１を容器Ａの開口部周縁ａに吊掛した状態を示す。前記蓋保持具１の吊掛具２２を容器Ａの開口部周縁ａに吊掛した後、容器Ａの蓋Ｂを蓋保持部３０に立て掛ける。この際、蓋Ｂの周縁は蓋載置部３２に載置され、蓋Ｂの上面は前記蓋係止部３４の先端に保持される。そのことにより、調理場の空きスペースを使用とせず、蓋Ａを容易に保持することができ、台所のスペースを有効利用することを実現する。
【００２３】  また他の好適例として、図３の（ａ）に示すように、前記蓋係止部３４の先端に蓋係止具５０を設けた。かかる蓋係止具５０は球体形状を呈しており、一部に、前記蓋係止部３４が挿入される開穴部５０ａが穿設されている。前記球体形状の蓋係止具５０を設けることで、図４に示すように、蓋Ｂの表面に蓋係止具５０が係止され、蓋Ｂの表面を傷付けることなく保持することができる。なお、前記球体形状の蓋係止具５０は、プラスチックやゴム等で形成されている。
【００２４】  また、図３の（ｂ）に示すように、前記蓋係止部３４の先端に、一端に球体５２を具備した筒状体５１を設けてもよい。かかる筒状体５１は、前記蓋係止部３４を挿脱できる径を有しており、先端には球体５２が設置されている。前記蓋係止具５１を設けることで、図５に示すように、蓋Ｂの裏面に蓋係止具５１が係止され保持することができる。前記筒状体５１の長さを調節することで、様々な形状の蓋を確実に保持することが可能になる。
【００２５】  また、図３の（ｃ）に示すように、前記蓋係止部３４の先端に、一端に皿状体５４を具備した筒状体５３を設けてもよい。かかる筒状体５３は、保持部３４を挿脱できる径を有しており、先端の皿状体５４は湾曲形状を呈している。前記蓋係止具５３を設けることで、蓋Ｂの裏面に蓋係止具５３が係止され保持することができるなお、前記筒状体５１の長さを調節することで、様々な形状の蓋を確実に保持することが可能になる。
【００２６】  上述の如く、前記蓋係止部３４の先端に、球体５０、一端に球体５２を具備した筒状体５１、または一端に皿状体５４を具備した筒状体５３を装着することで、蓋Ｂの表面を傷付けることがなく、さらに、さまざまな大きさの蓋を載置、保持することができる。
【符号の説明】
【００２７】１    蓋保持具
１０  保持具本体
１１  上部体
１２  下部体
１３ａ  連結体
１３ｂ  連結体
１３ｃ  連結体
２０  吊掛部
２１  吊掛本体
２２  吊掛具
３０  蓋保持部
３１  第一立設部
３２  蓋載置部
３３  第二立設部
３４  蓋係止部
４０  摘部
５０  蓋係止具
５１  筒状体
５２  球体
５３  蓋係止具
５４  皿状体
Ａ    容器
ａ    周縁
Ｂ    蓋
【図１】
0003162212.tif 000003
【図２】
0003162212.tif 000004
【図３】
0003162212.tif 000005
【図４】
0003162212.tif 000006
【図５】
0003162212.tif 000007